(57)【特許請求の範囲】
【請求項１】
画像表示装置であって、
画像を表示する表示部と、
指示体の種別を表す種別情報を検出する種別検出部と、
前記表示部によって表示された表示画像内において、前記指示体が指し示す位置を表す位置情報を検出する位置検出部と、
前記種別情報および前記位置情報に応じて前記表示画像内に描画を行う描画部と、
前記表示画像内において、前記指示体による描画を可能とする描画領域を設定する描画領域設定部と、
前記描画領域設定部によって前記描画領域が設定されると、前記描画部によって行われる描画を、前記描画領域内に制限させる描画制限部と、
を備え、
前記種別検出部は、第１の指示体および第２の指示体の前記種別情報を検出し、
前記位置検出部は、前記第１の指示体および前記第２の指示体が指し示す位置を表す前記位置情報を検出し、
前記描画領域設定部は、前記第１の指示体による描画を可能とする第１の描画領域、および前記第２の指示体による描画を可能とする第２の描画領域を設定し、
前記描画制限部は、前記第１の指示体による描画を前記第１の描画領域内に制限するとともに、前記第２の指示体による描画を前記第２の描画領域内に制限することを特徴とする画像表示装置。
【請求項２】
請求項１に記載の画像表示装置であって、
前記位置検出部は、前記表示部によって表示された前記表示画像を含む範囲を撮像して撮像画像を生成する撮像部を有し、前記撮像部によって生成された前記撮像画像に基づいて、前記表示画像内においてそれぞれの前記指示体が指し示す前記位置情報を検出することを特徴とする画像表示装置。
【請求項３】
請求項１または２に記載の画像表示装置であって、
前記描画領域を設定するための描画領域設定状態に切り替える状態制御部をさらに有し、
前記描画領域設定状態において、前記表示画像内で前記指示体によって範囲を指定するための操作がなされると、前記描画領域設定部は、当該操作によって指定された範囲に基づいて、前記描画領域を設定することを特徴とする画像表示装置。
【請求項４】
請求項１または２に記載の画像表示装置であって、
操作を受け付ける操作受付部と、
予め記憶されている描画領域のパターンを選択するための描画領域選択状態に切り替える状態制御部と、
をさらに有し、
前記描画領域選択状態において、前記操作受付部による選択操作がなされると、前記描画領域設定部は、選択された前記描画領域パターンに基づいて、前記描画領域を設定することを特徴とする画像表示装置。
【請求項５】
請求項１または２に記載の画像表示装置であって、
操作を受け付ける操作受付部と、
前記描画領域を数値情報によって指定するための描画領域数値入力状態に切り替える状態制御部と、
をさらに有し、
前記描画領域数値入力状態において、前記操作受付部による数値入力操作がなされ、前記描画領域設定部は、入力された数値に基づいて、前記描画領域を設定することを特徴とする画像表示装置。
【請求項６】
画像を表示する画像表示装置と、
前記画像表示装置に画像情報を供給する画像供給装置と、
指示体と、
を有する画像表示システムであって、
前記画像表示装置は、
前記画像情報が入力される画像情報入力部と、
前記画像情報に応じた表示画像を表示する表示部と、
前記指示体の種別を表す種別情報を検出する種別検出部と、
前記表示部によって表示された表示画像内において、前記指示体が指し示す位置を表す位置情報を検出する位置検出部と、
前記指示体の種別情報を出力する種別情報出力部と、
前記指示体の前記位置情報を出力する位置情報出力部と、
を有し、
前記画像供給装置は、
前記画像情報を生成する画像情報生成部と、
前記種別情報を入力する種別情報入力部と、
前記位置情報を入力する位置情報入力部と、
前記位置情報および前記種別情報に基づき、前記画像情報内に描画を行う描画部と、
前記画像情報内において、前記指示体による描画を許可する描画領域を設定する描画領域設定部と、
前記描画領域設定部によって前記描画領域が設定されると、前記描画部によって行われる描画を、前記描画領域内に制限させる描画制限部と、
を有し、
前記種別検出部は、第１の指示体および第２の指示体の前記種別情報を検出し、
前記位置検出部は、前記第１の指示体および前記第２の指示体が指し示す位置を表す前記位置情報を検出し、
前記描画領域設定部は、前記第１の指示体による描画を可能とする第１の描画領域、および前記第２の指示体による描画を可能とする第２の描画領域を設定し、
前記描画制限部は、前記第１の指示体による描画を前記第１の描画領域内に制限するとともに、前記第２の指示体による描画を前記第２の描画領域内に制限することを特徴とする画像表示システム。
【請求項７】
画像を表示する表示部を備えた画像表示装置の制御方法であって、
指示体の種別を表す種別情報を検出する種別検出ステップと、
前記表示部によって表示された表示画像内において、前記指示体が指し示す位置を表す位置情報を検出する位置検出ステップと、
前記種別情報および前記位置情報に応じて前記表示画像内に描画を行う描画ステップと、
前記表示画像内において、前記指示体による描画を可能とする描画領域を設定する描画領域設定ステップと、
前記描画領域設定ステップによって前記描画領域が設定されると、前記描画ステップによって行われる描画を、前記描画領域内に制限させる描画制限ステップと、
を備え、
前記種別検出ステップにおいて、第１の指示体および第２の指示体の前記種別情報を検出し、
前記位置検出ステップにおいて、前記第１の指示体および前記第２の指示体が指し示す位置を表す前記位置情報を検出し、
前記描画領域設定ステップにおいて、前記第１の指示体による描画を可能とする第１の描画領域、および前記第２の指示体による描画を可能とする第２の描画領域を設定し、
前記描画制限ステップにおいて、前記第１の指示体による描画を前記第１の描画領域内に制限するとともに、前記第２の指示体による描画を前記第２の描画領域内に制限することを特徴とする画像表示装置の制御方法。
【発明の詳細な説明】
【技術分野】
【０００１】
本発明は、画像表示装置、画像表示システム、および画像表示装置の制御方法に関する。
【背景技術】
【０００２】
コンピューターと、スクリーン等の投写面に映像を投写する投写型映像表示装置（プロジェクター）と、特定の波長帯の光を透過する選択透過素子と、スクリーン等を撮像する撮像装置と、映像の一部を指示するために用いられ、先端から赤外光を発する指示棒（指示体）とを備えたプレゼンテーションシステムが知られている（特許文献１）。このようなプレゼンテーションシステム（インタラクティブシステム）では、基本映像に指示棒（指示体）によって描いた描画映像を重畳することが可能である。
【先行技術文献】
【特許文献】
【０００３】
【特許文献１】特開２０１１−２８６２９号公報
【発明の概要】
【発明が解決しようとする課題】
【０００４】
近年、複数の指示体を使用可能なインタラクティブシステムが知られている。しかし、このようなインタラクティブシステムでは、複数人で複数の指示体を用いている際に、他の人が描画した線や図形上に誤って描画してしまうことがあった。このような場合には、上書き描画されてしまうため、ユーザーにとって不便な場合があった。このため、複数人で複数の指示体を利用している際に、他の人の描画領域に干渉してしまうことのないインタラクティブシステムが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、画像表示装置であって、画像を表示する表示部と、指示体の種別を表す種別情報を検出する種別検出部と、前記表示部によって表示された表示画像内において、前記指示体が指し示す位置を表す位置情報を検出する位置検出部と、前記種別情報および前記位置情報に応じて前記表示画像内に描画を行う描画部と、前記表示画像内において、前記指示体による描画を可能とする描画領域を設定する描画領域設定部と、前記描画領域設定部によって前記描画領域が設定されると、前記描画部によって行われる描画を、前記描画領域内に制限させる描画制限部と、を備えることを特徴とする。
【０００７】
このような画像表示装置によれば、種別検出部は、指示体の種別情報を検出する。位置検出部は、表示画像内において指示体が指し示す位置情報を検出する。描画部は、種別情報および位置情報に応じて表示画像内に描画を行う。描画領域設定部は、表示画像内において指示体による描画を可能とする描画領域を設定する。描画制限部は、描画領域が設定されると、描画を描画領域内に制限させる。これにより、指示体による描画を、設定された描画領域に限定することができる。即ち、描画領域の外側に描画してしまうことを避けることができる。
【０００８】
［適用例２］上記適用例に係る画像表示装置において、前記種別検出部は、第１の指示体および第２の指示体の前記種別情報を検出し、前記位置検出部は、前記第１の指示体および前記第２の指示体が指し示す位置を表す前記位置情報を検出し、前記描画領域設定部は、前記第１の指示体による描画を可能とする第１の描画領域、および前記第２の指示体による描画を可能とする第２の描画領域を設定し、前記描画制限部は、前記第１の指示体による描画を前記第１の描画領域内に制限するとともに、前記第２の指示体による描画を前記第２の描画領域内に制限することを特徴とする。
【０００９】
このような画像表示装置によれば、種別検出部は、第１の指示体および第２の指示体の種別情報を検出する。位置検出部は、表示画像内において第１の指示体および第２の指示体が指し示す位置情報を検出する。描画部は、種別情報および位置情報に応じて表示画像内に描画を行う。描画領域設定部は、表示画像内において第１の指示体による描画を可能とする第１の描画領域、および第２の指示体による描画を可能とする第２の描画領域を設定する。描画制限部は、第１の指示体による描画を第１の描画領域内に制限するとともに、第２の指示体による描画を第２の描画領域に制限する。これにより、第１の描画領域と第２の描画領域とが異なるように設定されていれば、他の指示体の描画領域に上書き描画してしまうことを回避することができる。よって、複数人で複数の指示体を利用している際に、他の人の描画領域に干渉してしまうことを避けることができる。
【００１０】
［適用例３］上記適用例に係る画像表示装置において、前記位置検出部は、前記表示部によって表示された前記表示画像を含む範囲を撮像して撮像画像を生成する撮像部を有し、前記撮像部によって生成された前記撮像画像に基づいて、前記表示画像内においてそれぞれの前記指示体が指し示す前記位置情報を検出することを特徴とする。
【００１１】
このような画像表示装置によれば、位置検出部は撮像部を有し、撮像画像に基づいて、表示画像内における指示体が指し示す位置情報を検出する。これにより、画像表示装置は、例えばカメラ等の撮像部を有するプロジェクターとすることができる。
【００１２】
［適用例４］上記適用例に係る画像表示装置において、前記描画領域を設定するための描画領域設定状態に切り替える状態制御部をさらに有し、前記描画領域設定状態において、前記表示画像内で前記指示体によって範囲を指定するための操作がなされると、前記描画領域設定部は、当該操作によって指定された範囲に基づいて、前記描画領域を設定することを特徴とする。
【００１３】
このような画像表示装置によれば、描画領域設定状態において、表示画像内で指示体によって範囲を指定するための操作がなされると、描画領域設定部は、指定された範囲に基づいて描画領域を設定する。これにより、指示体を用いて描画領域を設定することができるため、利便性が向上する。
【００１４】
［適用例５］上記適用例に係る画像表示装置において、操作を受け付ける操作受付部と、予め記憶されている描画領域のパターンを選択するための描画領域選択状態に切り替える状態制御部と、をさらに有し、前記描画領域選択状態において、前記操作受付部による選択操作がなされると、前記描画領域設定部は、選択された前記描画領域パターンに基づいて、前記描画領域を設定することを特徴とする。
【００１５】
このような画像表示装置によれば、予め記憶されている描画領域パターンを選択する描画領域選択状態において、選択操作がなされると、描画領域設定部は、選択された描画領域パターンに基づいて描画領域を設定する。これにより、予め記憶されている描画領域パターンの中から描画領域を選択することができるため、容易に描画領域を設定することが可能になる。
【００１６】
［適用例６］上記適用例に係る画像表示装置において、操作を受け付ける操作受付部と、前記描画領域を数値情報によって指定するための描画領域数値入力状態に切り替える状態制御部と、をさらに有し、前記描画領域数値入力状態において、前記操作受付部による数値入力操作がなされると、前記描画領域設定部は、入力された数値に基づいて、前記描画領域を設定することを特徴とする。
【００１７】
このような画像表示装置によれば、描画領域を数値情報によって指定する描画領域数値入力状態において、数値入力操作がなされると、描画領域設定部は、入力された数値に基づいて描画領域を設定する。これにより、数値で直接的に描画領域を設定することができるため、詳細な描画領域の設定が可能になる。
【００１８】
［適用例７］本適用例に係る画像表示システムは、画像を表示する画像表示装置と、前記画像表示装置に画像情報を供給する画像供給装置と、指示体と、を有する画像表示システムであって、前記画像表示装置は、前記画像情報が入力される画像情報入力部と、前記画像情報に応じた表示画像を表示する表示部と、前記指示体の種別を表す種別情報を検出する種別検出部と、前記表示部によって表示された表示画像内において、前記指示体が指し示す位置を表す位置情報を検出する位置検出部と、前記指示体の種別情報を出力する種別情報出力部と、前記指示体の前記位置情報を出力する位置情報出力部と、を有し、前記画像供給装置は、前記画像情報を生成する画像情報生成部と、前記種別情報を入力する種別情報入力部と、前記位置情報を入力する位置情報入力部と、前記位置情報および前記種別情報に基づき、前記画像情報内に描画を行う描画部と、前記画像情報内において、前記指示体による描画を許可する描画領域を設定する描画領域設定部と、前記描画領域設定部によって前記描画領域が設定されると、前記描画部によって行われる描画を、前記描画領域内に制限させる描画制限部と、を有することを特徴とする。
【００１９】
このような画像表示システムによれば、画像表示装置は、画像情報入力部と表示部と種別検出部と位置検出部と位置情報出力部と種別情報出力部とを有する。種別検出部は、指示体の種別情報を検出する。位置検出部は、表示画像内において、指示体が指し示す位置情報を検出する。画像供給装置は、画像情報生成部と位置情報入力部と種別情報入力部と描画部と描画領域設定部と描画制限部とを有する。描画部は、位置情報および種別情報に基づき、画像情報内に描画を行う。描画領域設定部は、画像情報内において、指示体による描画を許可する描画領域を設定する。描画制限部は、描画領域が設定されると、描画部による描画を、描画領域内に制限する。これにより、指示体による描画を、設定された描画領域に限定することができる。即ち、描画領域の外側に描画してしまうことを避けることができる。
【００２０】
［適用例８］本適用例に係る画像表示装置の制御方法は、画像を表示する表示部を備えた画像表示装置の制御方法であって、指示体の種別を表す種別情報を検出する種別検出ステップと、前記表示部によって表示された表示画像内において、前記指示体が指し示す位置を表す位置情報を検出する位置検出ステップと、前記種別情報および前記位置情報に応じて前記表示画像内に描画を行う描画ステップと、前記表示画像内において、前記指示体による描画を可能とする描画領域を設定する描画領域設定ステップと、前記描画領域設定ステップによって前記描画領域が設定されると、前記描画ステップによって行われる描画を、前記描画領域内に制限させる描画制限ステップと、を備えることを特徴とする。
【００２１】
このような画像表示装置の制御方法によれば、指示体による描画を、設定された描画領域に限定することができる。即ち、描画領域の外側に描画してしまうことを避けることができる。
【００２２】
また、上述した画像表示装置、画像表示システム、および画像表示装置の制御方法が、画像表示装置または画像表示システムに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、画像表示装置またはコンピューターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２３】
【図１】第１の実施形態に係るプロジェクターの構成を示すブロック図。
【図２】描画領域パターンを選択させるメニュー画像の説明図。
【図３】描画領域の座標を入力させるメニュー画像の説明図。
【図４】発光ペンによって描画領域を指定させる投写画像の説明図。
【図５】プロジェクターの描画処理のフローチャート。
【図６】描画領域と描画図の関係の説明図であり、（ａ）は、描画領域の説明図、（ｂ）は、描画操作の説明図、（ｃ）は、描画領域と描画図の説明図。
【図７】第２の実施形態に係る画像表示システムの構成を示すブロック図。
【図８】画像表示システムの描画処理のフローチャート。
【発明を実施するための形態】
【００２４】
（第１の実施形態）
以下、第１の実施形態として、投写画像を撮像し、撮像画像に基づいて、投写画像内における描画操作を検出する画像表示装置としてのプロジェクターについて説明する。
【００２５】
図１は、第１の実施形態に係るプロジェクターの構成を示すブロック図である。
図１には、指示体としての発光ペン５０１，５０２，５０３，５０４を備えるプロジェクター１００、パーソナルコンピューター（ＰＣ）２００、およびホワイトボード等の投写面Ｓとが表されている。
【００２６】
プロジェクター１００は、画像投写部１０、制御部２０、操作受付部２１、画像信号入力部３１、画像処理部３２、検出部５０等を備えて構成されている。
【００２７】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、光源１１から射出された光を、液晶ライトバルブ１２Ｒ，１２Ｇ，１２Ｂで変調して画像光を形成し、この画像光を投写レンズ１３から投写して投写面Ｓ等に表示する。画像投写部１０および投写面Ｓが表示部に相当する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３色である赤色Ｒ、緑色Ｇ、青色Ｂの各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から投写される。
【００３０】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１００の動作を統括制御する。
【００３１】
操作受付部２１は、ユーザーからの入力操作を受け付けるものであり、ユーザーがプロジェクター１００に対して各種指示を行うための複数の操作キーを備えている。操作受付部２１が備える操作キーとしては、電源のオン・オフを切り替えるための電源キー、各種設定を行うためのメニュー画面の表示・非表示を切り替えるメニューキー、メニュー画面におけるカーソルの移動等に用いられるカーソルキー、各種設定を決定するための決定キー等がある。ユーザーが操作受付部２１の各種操作キーを操作（押下）すると、操作受付部２１は、この入力操作を受け付けて、ユーザーの操作内容に応じた操作信号を制御部２０に出力する。なお、操作受付部２１として、遠隔操作が可能なリモコン（図示せず）を用いた構成としてもよい。この場合、リモコンは、ユーザーの操作内容に応じた赤外線等の操作信号を発信し、図示しないリモコン信号受信部がこれを受信して制御部２０に伝達する。
【００３２】
画像信号入力部３１には、ＰＣ２００とケーブルＣ１を介した接続を行うための入力端子（図示せず）が備えられており、ＰＣ２００から画像信号が入力される。画像信号入力部３１は、入力される画像信号を、画像処理部３２で処理可能な形式の画像情報に変換して、画像処理部３２に出力する。
【００３３】
画像処理部３２は、画像信号入力部３１から入力される画像情報を、液晶ライトバルブ１２Ｒ，１２Ｇ，１２Ｂの各画素の階調を表す画像データに変換し、ライトバルブ駆動部１４に出力する。ここで、変換された画像データは、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部３２は、制御部２０の指示に基づき、変換した画像データに対して、明るさ、コントラスト、シャープネス、色合い等を調整するための画質調整処理等を行う。さらに、画像処理部３２は、制御部２０の指示に基づき、メニュー画像等の画像データを生成する。
【００３４】
画像処理部３２は、描画メモリー３２ａおよび描画領域情報記憶部３２ｂを有している。描画メモリー３２ａは、発光ペン５０１，５０２，５０３，５０４による描画操作に基づいた描画データを記憶する。このときの画像処理部３２が、描画部に相当する。また、描画領域情報記憶部３２ｂには、発光ペン５０１，５０２，５０３，５０４毎に設定された描画領域情報が記憶されている。描画領域情報は、描画メモリー３２ａ内（つまり、投写画像内）において、発光ペン５０１，５０２，５０３，５０４のそれぞれによる描画が許可される描画領域を表している。
【００３５】
画像処理部３２は、検出部５０から発光ペン５０１，５０２，５０３，５０４の位置情報および種別情報を入力する。ここで種別情報は、指示体である発光ペン５０１，５０２，５０３，５０４の種別を表す情報であり、発光ペン５０１，５０２，５０３，５０４にはそれぞれ異なる種別情報が割り当てられている。また位置情報は、画像投写部１０によって表示された画像（表示画像）内において、発光ペン５０１，５０２，５０３，５０４が指し示す位置を表す情報である。画像処理部３２は、発光ペン５０１，５０２，５０３，５０４の描画操作がなされた位置が、描画領域情報が表す範囲に収まっているか否かを判断して、描画メモリー３２ａに描画データを記憶する。そして、画像処理部３２は、描画メモリー３２ａの描画データに基づいた画像データをライトバルブ駆動部１４に出力する。
【００３６】
ここで、描画領域情報の設定について説明する。
本実施形態のプロジェクター１００では、予め、複数の描画領域のパターンが画像処理部３２内の不揮発性のメモリー（図示せず）に記憶されている。
図２は、描画領域パターンを選択させるメニュー画像の説明図である。操作受付部２１に備わるメニューキーが押下され、描画領域選択メニューが選択されると、制御部２０は、画像処理部３２に指示を出して、図２に示す描画領域選択メニュー画像Ｍ１を表示させる。描画領域選択メニュー画像Ｍ１が表示された状態が、描画領域選択状態に相当する。また、このときの制御部２０が状態制御部に相当する。
【００３７】
描画領域選択メニュー画像Ｍ１の上部には、「描画領域パターン」の文字列が表示される。描画領域選択メニュー画像Ｍ１の中央部には、選択候補として、「分割しない」、「パターン１」、「パターン２」、「パターン３」が表示されている。本実施形態における「パターン１」〜「パターン３」は、描画領域を４分割した様々なパターンを表している。ユーザーが、描画領域選択メニュー画像Ｍ１において表示されている描画領域のパターンの候補の中から、所望のパターンを選択することにより、制御部２０は画像処理部３２に指示を出して、描画領域情報記憶部３２ｂにそのパターンの描画領域の情報を設定させる。
【００３８】
また、プロジェクター１００では、描画領域の位置情報を数値入力することもできる。
図３は、描画領域の座標を入力させるメニュー画像の説明図である。操作受付部２１に備わるメニューキーが押下され、描画領域座標入力メニューが選択されると、制御部２０は画像処理部３２に指示を出して、図３に示す描画領域座標入力メニュー画像Ｍ２を表示させる。描画領域座標入力メニュー画像Ｍ２が表示された状態が、描画領域数値入力状態に相当する。
【００３９】
描画領域座標入力メニュー画像Ｍ２の上部には、「描画領域座標入力」の文字列が表示される。描画領域座標入力メニュー画像Ｍ２の中央部には、座標入力エリアとして、発光ペン５０１に対応した「領域１」、発光ペン５０２に対応した「領域２」、発光ペン５０３に対応した「領域３」、発光ペン５０４に対応した「領域４」が表示されている。領域１〜４の文字列の隣には、括弧が表示されており、ユーザーによる座標の数値入力が可能となっている。描画領域座標入力メニュー画像Ｍ２において、ユーザーは、操作受付部２１に備わるカーソルキーやリモコンに備わる数字キー等を用いることで、発光ペン５０１，５０２，５０３，５０４毎の描画領域の座標情報（位置情報）を入力することができる。入力された描画領域の情報は、制御部２０の指示により画像処理部３２の描画領域情報記憶部３２ｂに記憶される。
【００４０】
さらに、プロジェクター１００は、投写面Ｓ上で発光ペン５０１，５０２，５０３，５０４を操作することで、描画領域を設定することも可能である。
図４は、発光ペンによって描画領域を指定させる投写画像の説明図である。操作受付部２１に備わるメニューキーが押下され、描画領域設定メニューが選択されると、制御部２０は画像処理部３２に指示を出して、図４に示す描画領域設定画像Ｍ３を表示させる。描画領域設定画像Ｍ３が表示された状態が、描画領域設定状態に相当する。
【００４１】
描画領域設定画像Ｍ３の上部には、「描画領域ペン入力」の文字列が表示される。描画領域設定画像Ｍ３の下部には、「終了」の文字列が表示されている。描画領域設定画像Ｍ３が投写されている投写面Ｓ上において、ユーザーが、発光ペン５０１，５０２，５０３，５０４を用いて枠を描画する操作を行い、「終了」の押下操作を行うことで、検出部５０が位置情報および種別情報を検出する。そして、画像処理部３２は、位置情報および種別情報に基づいて、それぞれの発光ペンの描画領域を描画領域情報記憶部３２ｂに設定する。本実施形態では、描画領域は、その描画領域の設定に用いられた発光ペンに対応付けられる。図４では、発光ペン５０１によって、描画領域Ａ１が設定された状態を表しており、描画領域Ａ１は発光ペン５０１に対応付けられている。
上述した制御部２０および画像処理部３２が、描画領域設定部に相当する。
【００４２】
図１に戻り、ライトバルブ駆動部１４が、画像処理部３２から入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３から投写される。
【００４３】
検出部５０は、撮像部５１、画像解析部５２、検出情報生成部５３を含んで構成されている。検出部５０は、制御部２０によって制御される。検出部５０は、投写面Ｓを撮像し、画像解析して、発光ペン５０１，５０２，５０３，５０４のそれぞれの位置および種別を検出する。
【００４４】
撮像部５１は、ＣＣＤ（Charge Coupled Device）センサー、或いはＣＭＯＳ（Complementary Metal Oxide Semiconductor）センサー等からなる撮像素子等（図示せず）と、撮像対象から発せられた光を撮像素子上に結像させるための撮像レンズ（図示せず）を備えている。撮像部５１は、プロジェクター１００の投写レンズ１３の近傍に配置され、投写面Ｓに投写された画像（以降、「投写画像」とも呼ぶ。）を含む範囲を所定のフレームレートで撮像する。そして、撮像部５１は、撮像した画像（以降、「撮像画像」とも呼ぶ。）を表す画像情報を順次生成し、画像解析部５２に出力する。
【００４５】
画像解析部５２は、画像解析用の処理装置やメモリー等（いずれも図示せず）を有して構成されている。画像解析部５２は、撮像部５１から入力された撮像画像の画像情報の解析を行う。画像解析部５２は、解析結果を検出情報生成部５３に出力する。なお、画像解析部５２は、撮像画像上の位置情報から画像信号に基づく画像上の位置情報への変換を行う。
【００４６】
検出情報生成部５３は、位置検出部５３ａ、および種別検出部としての発光ペン識別部５３ｂを有している。位置検出部５３ａは、画像解析部５２の解析結果に基づいて、それぞれの発光ペン５０１，５０２，５０３，５０４の位置情報を検出する。また、発光ペン識別部５３ｂは、画像解析部５２の解析結果に基づいて、それぞれの発光ペン５０１，５０２，５０３，５０４の種別情報を検出（識別）する。検出情報生成部５３は、発光ペン５０１，５０２，５０３，５０４の位置情報および種別情報を画像処理部３２に出力する。
【００４７】
発光ペン５０１，５０２，５０３，５０４は、ペン状の本体の先端部（ペン先）に、押圧スイッチと、赤外光を発する発光ダイオードとを備えている。そして、ユーザーが発光ペンのペン先を投写面Ｓに押し付ける操作（押圧操作）を行って、押圧スイッチを押圧すると、発光ダイオードが発光するようになっている。また、発光ペン５０１，５０２，５０３，５０４には、それぞれ種別情報を画像解析によって識別するための識別マークが記されている。
【００４８】
制御部２０の不揮発性のメモリーには、発光ペン５０１，５０２，５０３，５０４を描画デバイス（指示体）として利用するためのソフトウェア（デバイスドライバー）が記憶されている。そして、このソフトウェアが起動した状態では、画像処理部３２は、検出部５０から入力される位置情報および種別情報に基づいて、投写画像内で発光ペン５０１，５０２，５０３，５０４の描画操作がなされた位置をそれぞれ認識する。そして、画像処理部３２は、描画メモリー３２ａに描画データを記憶させ、描画データに基づいた画像データをライトバルブ駆動部１４に出力する。
【００４９】
次に、プロジェクター１００が行う発光ペンによる描画処理について説明する。
図５はプロジェクター１００の描画処理のフローチャートである。
【００５０】
プロジェクター１００の撮像部５１は、撮像を行い、撮像画像を生成する（ステップＳ１０１）。画像解析部５２は、撮像画像を解析する（ステップＳ１０２）。そして、検出情報生成部５３の位置検出部５３ａは、解析結果に基づいて位置情報を検出する（ステップＳ１０３）。さらに、検出情報生成部５３の発光ペン識別部５３ｂは、解析結果に基づいて発光ペンの種別情報（発光ペン情報）を検出する（ステップＳ１０４）。
【００５１】
画像処理部３２は、発光ペンの位置情報および種別情報に基づき、検出された発光ペンは、検出された位置で描画が可能か否かを判断する（ステップＳ１０５）。即ち、検出された位置情報は、描画領域情報記憶部３２ｂに記憶されている設定された描画領域に含まれているか否かを判断する。検出された位置で描画が可能な場合（ステップＳ１０５：ＹＥＳ）、画像処理部３２は、描画メモリー３２ａに描画を行う（ステップＳ１０６）。画像処理部３２は、描画データに基づく画像データをライトバルブ駆動部１４に出力して、表示（投写）させる（ステップＳ１０７）。このときの画像処理部３２が、描画制限部に相当する。
【００５２】
検出部５０は、描画が終了したか否かを判断する（ステップＳ１０８）。描画が終了していない場合（ステップＳ１０８：ＮＯ）、ステップＳ１０１に移行する。描画が終了した場合（ステップＳ１０８：ＹＥＳ）、描画処理を終了する。
【００５３】
検出された位置で描画が可能でない場合（ステップＳ１０５：ＮＯ）、画像処理部３２は、描画メモリー３２ａに対する描画を行わない（ステップＳ１０９）。そして、ステップＳ１０７に移行する。
【００５４】
ここで、描画領域が設定されている場合の発光ペンによる描画について説明する。
図６は、描画領域と描画図の関係の説明図であり、（ａ）は、描画領域の説明図、（ｂ）は、描画操作の説明図、（ｃ）は、描画領域と描画図の説明図である。
【００５５】
図６（ａ）に示すように、本実施形態では、描画領域情報記憶部３２ｂに記憶される描画領域は、発光ペン５０１に対応する第１領域Ａ１、発光ペン５０２に対応する第２領域Ａ２、発光ペン５０３に対応する第３領域Ａ３、および発光ペン５０４に対応する第４領域Ａ４に分割して設定されている。なお、描画領域として設定可能な画像全体を全画像領域ＰＡとしている。
【００５６】
この状態で、図６（ｂ）に示すように、発光ペン５０１を用いて、投写面Ｓ上で三角形Ｄ１を描く動作を行うと、投写される画像は、図６（ｃ）参照に示すように第１領域Ａ１（破線）に含まれる部分の図形Ｄ２だけになる。
【００５７】
上述した第１の実施形態によれば、以下の効果が得られる。
（１）プロジェクター１００は、描画を可能とする描画領域を発光ペン５０１，５０２，５０３，５０４毎に設定することができる。描画領域が設定されると、プロジェクター１００は、発光ペン５０１，５０２，５０３，５０４による描画をそれぞれの描画領域内に制限させる。これにより、発光ペン毎の描画領域が異なるように設定されていれば、他の発光ペンの描画領域に上書き描画してしまうことを回避することができる。よって、複数人で複数の発光ペンを利用している際に、他の人の描画領域に干渉してしまうことを避けることができる。
【００５８】
（２）プロジェクター１００は、予め記憶されている描画領域パターンを選択させるための描画領域選択メニュー画像Ｍ１を表示する。描画領域選択メニュー画像Ｍ１において、ユーザーが所望のパターンを選択すると、プロジェクター１００は、選択された描画領域パターンに基づいて描画領域を設定する。これにより、予め記憶されている描画領域パターンの中から描画領域を選択することができるため、ユーザーは、簡易な操作で描画領域を設定することができる。
【００５９】
（３）プロジェクター１００は、描画領域を座標情報によって入力させるための描画領域座標入力メニュー画像Ｍ２を表示する。描画領域座標入力メニュー画像Ｍ２において、ユーザーが座標情報を数値入力すると、プロジェクター１００は、入力された座標に基づいて描画領域を設定する。これにより、数値によって直接的に描画領域を設定することができるため、ユーザーは、詳細な描画領域の設定が可能になる。
【００６０】
（４）プロジェクター１００は、投写画像内で発光ペン５０１，５０２，５０３，５０４によって描画領域の範囲を指定させるための描画領域設定画像Ｍ３を表示する。描画領域設定画像Ｍ３においてユーザーが発光ペンによって描画操作をすると、プロジェクター１００は、指定された範囲に基づいて描画領域を設定する。これにより、発光ペンを用いて描画領域を設定することができるため、ユーザーの利便性が向上する。
【００６１】
（５）また、プロジェクター１００において、描画領域を様々な形状に設定し、ユーザーに塗りつぶさせることにより、投写画像を塗り絵のように使用することが可能になる。
【００６２】
（第２の実施形態）
第２の実施形態では、投写画像を撮像し、投写画像内における発光ペンを検出する画像表示装置としてのプロジェクターと、検出結果を入力して描画処理を行う画像供給装置としてのパーソナルコンピューター（ＰＣ）とを備えた画像表示システムについて説明する。
【００６３】
図７は、第２の実施形態に係る画像表示システム１の構成を示すブロック図である。
図７には、光信号を発信する発信器としての発光ペン５０１，５０２，５０３，５０４、プロジェクター３００、ＰＣ４００、および投写面Ｓとが表されている。なお、第１の実施形態と同一の構成部位については、同一の番号を使用し、重複する説明は省略する。
【００６４】
プロジェクター３００は、画像投写部１０、制御部２０、操作受付部２１、入出力部３５、画像処理部３６、検出部５０等を備えて構成されている。
【００６５】
入出力部３５には、ＰＣ４００とケーブルＣ２およびＣ３を介した接続を行うための入力端子および出力端子（いずれも図示せず）が備えられている。入出力部３５の入力端子には、ＰＣ４００から画像信号が入力される。そして、入出力部３５は、入力される画像信号を、画像処理部３６で処理可能な形式の画像情報に変換して、画像処理部３６に出力する。この入出力部３５が、画像情報入力部に相当する。
【００６６】
また、出力端子からは、検出部５０の検出情報生成部５３により検出された検出情報として、発光ペン５０１，５０２，５０３，５０４の位置情報および種別情報をＰＣ４００に出力する。この入出力部３５が、種別情報出力部および位置情報出力部に相当する。
【００６７】
画像処理部３６は、入出力部３５から入力される画像情報を、液晶ライトバルブ１２Ｒ，１２Ｇ，１２Ｂの各画素の階調を表す画像データに変換する。また、画像処理部３６は、制御部２０の指示に基づき、変換した画像データに対して、明るさ、コントラスト、シャープネス、色合い等を調整するための画質調整処理等を行い、処理後の画像データをライトバルブ駆動部１４に出力する。
【００６８】
ＰＣ４００は、制御部６０、操作部６１、画像処理部６２、モニター６３、入出力部７０等を備えて構成されている。
【００６９】
制御部６０は、ＣＰＵ、ＲＯＭ、ＲＡＭ、ハードディスクドライブ等の記憶装置等（いずれも図示せず）によって構成されている。記憶装置にはＯＳ（オペレーティングシステム）や、アプリケーションプログラムが記憶されている。制御部６０は、ＣＰＵがＲＯＭや記憶装置に記憶されているプログラムに従って動作することにより、ＰＣ４００の動作を統括制御する。本実施形態では、記憶装置には、発光ペン５０１，５０２，５０３，５０４の位置情報および種別情報に基づき、描画操作を行う描画プログラムが記憶されている。
【００７０】
操作部６１は、ユーザーからの入力操作を受け付けるキーボードや、マウス等のポインティングデバイスを備えている。
【００７１】
入出力部７０には、プロジェクター３００とケーブルＣ２を介した接続を行うための出力端子および入力端子（いずれも図示せず）が備えられている。出力端子からは、画像処理部６２で生成した画像信号をプロジェクター３００に出力する。
【００７２】
また、入力端子には、プロジェクター３００から位置情報や種別情報等の情報が入力される。入出力部７０は、入力される情報を、画像処理部６２および制御部６０に出力する。この入出力部７０が、種別情報入力部および位置情報入力部に相当する。
【００７３】
画像処理部６２は、画像信号の生成、調整処理、描画処理等を行う。画像処理部６２は、描画メモリー６２ａおよび描画領域情報記憶部６２ｂを有している。描画メモリー６２ａは、発光ペン５０１，５０２，５０３，５０４による描画操作に基づいた描画データを記憶する。この画像処理部６２が、画像情報生成部および描画部に相当する。
【００７４】
描画領域情報記憶部６２ｂには、発光ペン５０１，５０２，５０３，５０４毎に設定された描画領域情報が記憶される。描画領域情報は、描画メモリー６２ａ内において描画が許可される描画領域である。画像処理部６２は、入出力部７０から発光ペン５０１，５０２，５０３，５０４の位置情報および種別情報を入力し、発光ペン５０１，５０２，５０３，５０４の描画操作がなされた位置が、描画領域情報が示す範囲に収まっているか否かを判断して、描画メモリー６２ａに描画データを記憶する。そして、画像処理部６２は、描画データに基づく画像信号を入出力部７０に出力する。また、画像処理部６２は、描画データをモニター６３に出力する。
【００７５】
モニター６３は、ディスプレイ装置である。モニター６３は、画像処理部６２から入力された描画データに基づく画像を表示する。
【００７６】
ここで、描画領域情報の設定方法について説明する。
本実施形態のＰＣ４００では、予め、複数の描画領域情報のパターンが画像処理部６２内の不揮発性のメモリー（図示せず）に記憶されている。ユーザーが操作部６１を操作すると、制御部６０は画像処理部６２に指示を出して、第１の実施形態に示したような描画領域選択メニュー画像Ｍ１を、プロジェクター３００やモニター６３に出力して表示させる。ユーザーは、描画領域選択メニュー画像Ｍ１において、表示されている描画領域情報のパターンの候補の中から、所望のパターンを選択することで、ＰＣ４００の描画領域情報記憶部６２ｂにそのパターンの描画領域の情報を設定することができる。
【００７７】
また、画像表示システム１では、描画領域の位置情報を数値入力することもできる。
ユーザーが操作部６１を操作すると、制御部６０は画像処理部６２に指示を出して、第１の実施形態に示したような描画領域座標入力メニュー画像Ｍ２を、プロジェクター３００やモニター６３に出力して表示させる。ユーザーは、描画領域座標入力メニュー画像Ｍ２において、操作部６１に備わるキー等を用いることで、発光ペン毎の描画領域の位置情報（座標情報）を入力することができる。入力された描画領域の情報は、ＰＣ４００の描画領域情報記憶部６２ｂに記憶される。
【００７８】
さらに、画像表示システム１は、投写面Ｓ上で発光ペン５０１，５０２，５０３，５０４を操作することで、描画領域を設定することも可能である。
ユーザーが操作部６１を操作すると、制御部６０は画像処理部６２に指示を出して、第１の実施形態に示したような描画領域設定画像Ｍ３を、プロジェクター３００に出力して表示させる。描画領域設定画像Ｍ３が投写されている投写面Ｓ上において、ユーザーが、発光ペン５０１，５０２，５０３，５０４を操作すると、プロジェクター３００が位置情報および種別情報を検出して、ＰＣ４００に出力する。そして、ＰＣ４００の画像処理部６２は、それぞれの発光ペンの描画領域を設定する。描画領域の情報は、ＰＣ４００の描画領域情報記憶部６２ｂに記憶される。
上述した制御部６０および画像処理部６２が、描画領域設定部に相当する。
【００７９】
次に、画像表示システム１が行う発光ペンによる描画処理について説明する。
図８は画像表示システム１の描画処理のフローチャートである。
【００８０】
プロジェクター３００の撮像部５１は、撮像を行い、撮像画像を生成する（ステップＳ２０１）。プロジェクター３００の画像解析部５２は、撮像画像を解析する（ステップＳ２０２）。そして、プロジェクター３００の検出情報生成部５３の位置検出部５３ａは、解析結果に基づいて位置情報を検出する（ステップＳ２０３）。さらに、検出情報生成部５３の発光ペン識別部５３ｂは、解析結果に基づいて発光ペンの種別情報（発光ペン情報）を検出する（ステップＳ２０４）。ここで、プロジェクター３００は、発光ペンの位置情報および種別情報をＰＣ４００に出力する。
【００８１】
ＰＣ４００の画像処理部６２は、入力された発光ペンの位置情報および種別情報に基づき、発光ペンが、検出された位置で描画が可能か否かを判断する（ステップＳ２０５）。即ち、検出された位置情報は、描画領域情報記憶部６２ｂに記憶されている設定された描画領域に含まれているか否かを判断する。検出された位置で描画が可能な場合（ステップＳ２０５：ＹＥＳ）、ＰＣ４００の画像処理部６２は、描画メモリー６２ａに描画を行う（ステップＳ２０６）。そして、画像処理部６２は、描画データに基づく画像信号をプロジェクター３００に出力して、投写（表示）させる（ステップＳ２０７）。なお、このとき、画像処理部６２は、モニター６３に対しても画像データを出力して表示させる。このときの画像処理部６２が、描画制限部に相当する。
【００８２】
検出部５０は、描画が終了したか否かを判断する（ステップＳ２０８）。描画が終了していない場合（ステップＳ２０８：ＮＯ）、ステップＳ２０１に移行する。描画が終了した場合（ステップＳ２０８：ＹＥＳ）、描画処理を終了する。
【００８３】
検出された位置で描画が可能でない場合（ステップＳ２０５：ＮＯ）、画像処理部６２は、描画メモリー６２ａに対する描画を行わない（ステップＳ２０９）。そして、ステップＳ２０７に移行する。
【００８４】
上述した第２の実施形態によれば、以下の効果が得られる。
（１）画像表示システム１は、描画を可能とする描画領域を発光ペン５０１，５０２，５０３，５０４毎に設定することができる。描画領域が設定されると、画像表示システム１は、発光ペン５０１，５０２，５０３，５０４による描画をそれぞれの描画領域内に制限させる。これにより、発光ペン毎の描画領域が異なるように設定されていれば、他の発光ペンの描画領域に上書き描画してしまうことを回避することができる。よって、複数人で複数の発光ペンを利用している際に、他の人の描画領域に干渉してしまうことを避けることができる。
【００８５】
（２）画像表示システム１は、予め記憶されている描画領域パターンを選択させるための描画領域選択メニュー画像Ｍ１を表示する。描画領域選択メニュー画像Ｍ１において、ユーザーが所望のパターンを選択すると、画像表示システム１は、選択された描画領域パターンに基づいて描画領域を設定する。これにより、予め記憶されている描画領域パターンの中から描画領域を選択することができるため、ユーザーは、簡易な操作で描画領域を設定することができる。
【００８６】
（３）画像表示システム１は、描画領域を座標情報によって入力させるための描画領域座標入力メニュー画像Ｍ２を表示する。描画領域座標入力メニュー画像Ｍ２において、ユーザーが座標情報を数値入力すると、画像表示システム１は、入力された座標に基づいて描画領域を設定する。これにより、数値で直接的に描画領域を設定することができるため、ユーザーは、詳細な描画領域の設定が可能になる。
【００８７】
（４）画像表示システム１は、投写画像内で発光ペン５０１，５０２，５０３，５０４によって描画領域の範囲を指定させるための描画領域設定画像Ｍ３を表示する。描画領域設定画像Ｍ３において、ユーザーが発光ペンによって操作をすると、画像表示システム１は、指定された範囲に基づいて描画領域を設定する。これにより、発光ペンを用いて描画領域を設定することができるため、ユーザーの利便性が向上する。
【００８８】
（５）また、画像表示システム１において、描画領域を様々な形状に設定し、ユーザーに塗りつぶさせることにより、投写画像を塗り絵のように使用することが可能になる。
【００８９】
なお、上述した実施形態に限定されず、種々の変更や改良等を加えて実施することが可能である。変形例を以下に述べる。
【００９０】
（変形例１）上記実施形態では、描画領域を座標情報として数値入力を可能としているが、プロジェクター１００や画像表示システム１をネットワークに接続可能とし、他の電子機器からネットワーク経由で描画領域の座標情報を入力してもよい。
【００９１】
（変形例２）上記実施形態では、描画領域を座標情報として数値入力を可能としているが、プロジェクター１００や画像表示システム１にＵＳＢメモリー等の外部記憶媒体を接続可能とし、当該外部記憶媒体から描画領域の座標情報を入力してもよい。
【００９２】
（変形例３）上記実施形態では、指示体は、赤外光を発する発光ペン５０１，５０２，５０３，５０４としたが、このような発光ペンに限定するものではない。例えば、可視光を発する指示体としてもよいし、無線通信用電波等を利用するようにしてもよい。また、指示体は、ユーザーの指であってもよい。
【００９３】
（変形例４）上記実施形態では、４つの発光ペン５０１，５０２，５０３，５０４を有するプロジェクター１００および画像表示システム１を示したが、発光ペンの数は４つに限定するものではない。さらに発光ペンの数に応じるように描画領域の数も設定可能としてもよい。
【００９４】
（変形例５）上記実施形態では、設定する描画領域は重複しない例を示しているが、描画領域を重複して設定可能としてもよい。この場合、重複している領域部分は対応する複数の発光ペンで描画可能としてもよいし、描画不可としてもよい。
【００９５】
（変形例６）上記実施形態では、設定された描画領域は表示（投写）されない例を示しているが、それぞれの描画領域を表す枠を表示してもよい。さらに、当該枠の表示色をそれぞれ異なる色にしてもよい。こうすれば、発光ペンを用いるユーザーは、自分が投写面Ｓ上のどの領域に描画可能かを判断することができる。
【００９６】
（変形例７）上記実施形態では、プロジェクター１００，３００とＰＣ２００，４００とは、ケーブルＣ１，Ｃ２，Ｃ３等で接続されるものとしたが、無線通信によって情報の入出力を行ってもよい。
【００９７】
（変形例８）上記実施形態では、プロジェクター１００，３００は、描画メモリー３２ａ，６２ａに描画された描画データに基づいた画像を表示するものとしたが、外部（ビデオ再生装置等）から画像情報を入力し、当該画像情報に基づく画像上に、描画データに基づいた画像を重畳して表示してもよい。
【００９８】
（変形例９）上記実施形態では、光源１１は、放電型の光源ランプ１１ａを有して構成されているが、ＬＥＤ（Light Emitting Diode）光源やレーザー等の固体光源や、その他の光源を用いることもできる。
【００９９】
（変形例１０）上記実施形態では、プロジェクター１００，３００は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１００】
１…画像表示システム、１０…画像投写部（表示部）、１１…光源、１１ａ…光源ランプ、１１ｂ…リフレクター、１２Ｒ，１２Ｇ，１２Ｂ…液晶ライトバルブ、１３…投写レンズ、１４…ライトバルブ駆動部、２０…制御部、２１…操作受付部、３１…画像信号入力部、３２…画像処理部（描画部、描画領域設定部、描画制限部）、３２ａ…描画メモリー、３２ｂ…描画領域情報記憶部、３５…入出力部、３６…画像処理部、５０…検出部、５１…撮像部、５２…画像解析部、５３…検出情報生成部、５３ａ…位置検出部、５３ｂ…発光ペン識別部（種別検出部）、６０…制御部（状態制御部）、６１…操作部、６２…画像処理部、６２ａ…描画メモリー、６２ｂ…描画領域情報記憶部、６３…モニター、７０…入出力部、１００…プロジェクター、２００…ＰＣ、３００…プロジェクター、４００…ＰＣ、５０１，５０２，５０３，５０４…発光ペン、Ｃ１，Ｃ２，Ｃ３…ケーブル。
【図１】
0005899993.tif 000002
【図２】
0005899993.tif 000003
【図３】
0005899993.tif 000004
【図４】
0005899993.tif 000005
【図５】
0005899993.tif 000006
【図６】
0005899993.tif 000007
【図７】
0005899993.tif 000008
【図８】
0005899993.tif 000009